(57)【特許請求の範囲】
【請求項１】
被検査体（Ｗ）を搬送させる所定長の搬送路と、
前記搬送路と直角をなす平面上に設けられる中央の送信コイル（１１）と、前記中央の送信コイルの前後に該送信コイルと平行に設けられるそれぞれ逆巻きの一対の受信コイル（１２，１３）とが、前記被検査体の搬送方向に連続した検査空間（Ｓ）を前記搬送路上に形成するように前記被検査体の搬送方向と同軸状に配置された同軸型検出ヘッド（１）と、
前記同軸型検出ヘッドの一側に設けられる送信コイル（２１）と、該送信コイルに対向して前記同軸型検出ヘッドの他側に設けられるそれぞれ逆巻きの一対の受信コイル（２２，２３）とが、前記検査空間を挟むように前記搬送路の搬送方向に沿って対向配置され、前記同軸型検出ヘッドの磁束と直交する磁束を生じる対向型検出ヘッド（２）と、
前記同軸型検出ヘッドの送信コイル、及び対向型検出ヘッドの送信コイルにそれぞれ所定周波数の駆動信号を供給する発信器（１０，２０）と、
前記同軸型検出ヘッドの受信コイル、及び対向型検出ヘッドの受信コイルにそれぞれ接続され、受信コイルの誘起電圧を前記駆動信号の周波数別に検波して金属の有無を検出する検出回路（３１ａ，３１ｂ）と、
前記発信器に供給する高周波、及び低周波の駆動信号を周波数制御する制御手段と、
を備え、
前記同軸型検出ヘッドと対向型検出ヘッドをそれぞれ高周波、及び低周波駆動し、計４つの検波出力を得て被検査体内の金属（Ｍ）を検出する金属検出機において、
前記制御手段は、前記同軸型検出ヘッド及び前記対向型検出ヘッドに対して供給される高周波の駆動信号の周波数を相互干渉が無くなる程度の異なる周波数とし、かつ前記同軸型検出ヘッド及び前記対向型検出ヘッドに対して供給される低周波の駆動信号の周波数を相互干渉が無くなる程度の異なる周波数とするとともに、前記同軸型検出ヘッド及び前記対向型検出ヘッドに対して該高周波及び該低周波のこれらの異なる周波数の駆動信号を同時に供給することを特徴とする金属検出機。
【発明の詳細な説明】
【０００１】
【発明の属する技術分野】
本発明は、被検査体に混入した金属物を検出する金属検出機に関し、特に被検査体に混入した異物の形状や方向、材質によらず高感度にこの異物を検出できる金属検出機に関するものである。
【０００２】
【従来の技術】
金属検出機は、被検査体に混入された金属が検査磁界に与える変化を検出することによって、被検査体に金属が混入しているか否かを判別している。
図８は、金属検出機における検出ヘッドの検出原理を示す図である。図８に示すように、従来では、中央の送信コイル５１の前後に受信コイル５２，５３を配置した同軸型の検出ヘッド５０が用いられている。
【０００３】
上記検出ヘッド５０では、各コイル５１，５２，５３の内側に連続する検査空間Ｓ内において、中央の送信コイル５１の交番磁界による磁束に交わる受信コイル５２，５３にそれぞれ位相が逆の誘起電圧Ｖ１，Ｖ２を発生させる。各受信コイル５２，５３は、送信コイル５１に対して等しい距離に配置され、検査空間Ｓから被検査体Ｗが遠い位置にある非検出状態では誘起電圧Ｖ１，Ｖ２の大きさが等しく差が０となる。
【０００４】
例えば、金属Ｍが混入した被検査体Ｗが、図８中Ａ方向に進行して手前の受信コイル５２内に移動すると、受信コイル５２内の磁束密度が増し、逆に受信コイル５３内の磁束密度が減少する。このため、受信コイル５２の誘起電圧Ｖ１は、受信コイル５３の誘起電圧Ｖ２よりも大きくなる。次いで、進行した被検査体Ｗが受信コイル５３内まで移動すると、受信コイル５２内よりも受信コイル５３内の磁束密度の方が大きくなるため、誘起電圧Ｖ１より誘起電圧Ｖ２の方が大きくなる。このようにして、検出ヘッド５０から出力される誘起電圧Ｖ１，Ｖ２同士の差の変化（磁界の揺らぎ）に基づいて、検査空間Ｓ内を通過した被検査体Ｗに金属Ｍが混入しているか否かを判定することができる。
【０００５】
上述した従来の金属検出機で用いられている同軸型の検出ヘッド５０では、例えば針形状や薄板形状の金属Ｍについて、上記形状の金属Ｍである磁性体が磁束に略直交する配置、あるいは上記形状の金属Ｍである非磁性体が磁束に沿う配置で被検査体Ｗに混入していた場合では、磁束の変化が少ないため誘起電圧Ｖ１，Ｖ２の差が小さく検出感度が落ちてしまう。すなわち、被検査体Ｗに混入している金属Ｍを検出できないおそれがある。
【０００６】
そこで、図９に示す構成がある（特開平９−８０１６２号公報）。被検査体Ｗの移動方向と平行に配置し、巻き方向が逆の２つのコイルを直列に接続した第１のコイル６０（６０ａ、６０ｂ）と、第１のコイル６０ａ、６０ｂと垂直に被検査体Ｗの移動経路を囲むように配置された第２のコイル６１と、第２のコイル６１を挟んで第１のコイル６０と反対側に配置され、第１、第２のコイル６０，６１と鎖交する磁束を発生する磁界発生部６２とを設けたものである。
【０００７】
被検査体Ｗの移動時には、これら第１のコイル６０と、第２のコイル６１で受信した出力電圧を合成することにより、被検査物Ｗ中における金属等の異物検出時に検出信号を出力することができる。
この金属検出機では、第２のコイル６１では左右方向の磁束を生じ、第１のコイル６０では上下方向の磁束を生じる。そして、第２のコイル６１の磁束に対して針形状や薄板形状の金属Ｍである磁性体が磁束に略直交する配置であっても、第１のコイル６０側では、その磁束に対して沿う配置となるので、磁束の変化が多くなり、検出感度が良好となる。
【０００８】
また、第２のコイル６１の磁束に対して針形状や薄板形状の金属Ｍである非磁性体が磁束に沿う配置であっても、第１のコイル６０側では、その磁束に対して直交する配置となるので、磁束の変化が多くなって検出感度が良好となる。
このような構成により、針形状等の異物混入時に、その材質、姿勢の影響を受けずに検出することができる。
【０００９】
図１０に示す構成は２組の検出ヘッドを設けてなる（特開２０００−１２４８６２号公報）。図示のように、被検査体Ｗの搬送方向に対して１対の検出ヘッド７０，７１をそれぞれ角度αで対象状に傾斜させて配置したものである。このような構成により、針形状等の異物混入時に、その材質、姿勢の影響を受けずに検出することができる。
【００１０】
【発明が解決しようとする課題】
しかしながら、図９、１０いずれの構成においても、被検査体Ｗの搬送時に搬送位置に応じて被検査体Ｗを遮る磁界の向きが刻々と変動するため、影響を受け針形状の異物の検出感度が低下する問題を生じる。
また、感度向上の為には、受信レベル（電圧出力）で見て、被検査体Ｗに対し、針形状の異物が相対的に差分が大きい（即ちＳ／Ｎ比が大きい）必要がある。このように、従来の図９、１０で示したような複数の異なる角度の検出ヘッドを配置するだけの構成では、被検査体Ｗの材質の違い、異物の形状、混入方向、等の変化に対応することができず、高精度な異物検出が行えなかった。
【００１１】
そこで本発明は、上記課題を解消するために、異物の材質、形状、被検査体内での混入方向等に影響を受けず高感度にこの異物を検出することができる金属検出機を提供することを目的としている。
【００１２】
【課題を解決するための手段】
上記目的を達成するため本発明による請求項１記載の金属検出機は、被検査体Ｗを搬送させる所定長の搬送路と、
前記搬送路と直角をなす平面上に設けられる中央の送信コイル１１と、前記中央の送信コイルの前後に該送信コイルと平行に設けられるそれぞれ逆巻きの一対の受信コイル１２，１３とが、前記被検査体の搬送方向に連続した検査空間Ｓを前記搬送路上に形成するように前記被検査体の搬送方向と同軸状に配置された同軸型検出ヘッド１と、
前記同軸型検出ヘッドの一側に設けられる送信コイル２１と、該送信コイルに対向して前記同軸型検出ヘッドの他側に設けられるそれぞれ逆巻きの一対の受信コイル２２，２３とが、前記検査空間を挟むように前記搬送路の搬送方向に沿って対向配置され、前記同軸型検出ヘッドの磁束と直交する磁束を生じる対向型検出ヘッド２と、
前記同軸型検出ヘッドの送信コイル、及び対向型検出ヘッドの送信コイルにそれぞれ所定周波数の駆動信号を供給する発信器１０，２０と、
前記同軸型検出ヘッドの受信コイル、及び対向型検出ヘッドの受信コイルにそれぞれ接続され、受信コイルの誘起電圧を前記駆動信号の周波数別に検波して金属の有無を検出する検出回路３１ａ，３１ｂと、
前記発信器に供給する高周波、及び低周波の駆動信号を周波数制御する制御手段と、
を備え、
前記同軸型検出ヘッドと対向型検出ヘッドをそれぞれ高周波、及び低周波駆動し、計４つの検波出力を得て被検査体内の金属Ｍを検出する金属検出機において、
前記制御手段は、前記同軸型検出ヘッド及び前記対向型検出ヘッドに対して供給される高周波の駆動信号の周波数を相互干渉が無くなる程度の異なる周波数とし、かつ前記同軸型検出ヘッド及び前記対向型検出ヘッドに対して供給される低周波の駆動信号の周波数を相互干渉が無くなる程度の異なる周波数とするとともに、前記同軸型検出ヘッド及び前記対向型検出ヘッドに対して該高周波及び該低周波のこれらの異なる周波数の駆動信号を同時に供給することを特徴とする。
【００１７】
上記構成によれば、被検査体Ｗの搬送中に、同軸型検出ヘッド１、及び対向型検出ヘッド２からそれぞれ高周波、及び低周波で駆動させることにより、各検出ヘッドはそれぞれ送信コイルと受信コイルとの間が平行磁界であり、被検査体Ｗの影響を抑えることができ金属Ｍを高精度に検出できるようになる。また、同軸型検出ヘッド１、及び対向型検出ヘッド２を、それぞれ高周波及び低周波で駆動させるため、金属Ｍの種類に影響を受けず、高精度の検出できるようになる。
なお、同軸型検出ヘッド１と対向型検出ヘッド２に対して供給される高周波の駆動信号の周波数を相互干渉が無くなる程度の異なる周波数とし、かつ低周波の駆動信号の周波数も相互干渉が無くなる程度の異なる周波数とされ、これら異なる４つの周波数の駆動信号が同時に供給される。
【００１８】
【発明の実施の形態】
以下、本発明の実施の形態を図面を参照して具体的に説明する。
図１は本発明の金属検出機の検出ヘッドを示す概略図である。
図１に示すように、金属検出機は、同軸型検出ヘッド１と、対向型検出ヘッド２とを有している。同軸型検出ヘッド１は、図示しない搬送コンベア（被検査体Ｗ）の搬送方向と同軸状に配置され、対向型検出ヘッド２は、搬送コンベアの搬送方向に沿って（同軸型検出ヘッド１と直交する方向）に配置される。
【００１９】
同軸型検出ヘッド１は、中央に送信コイル１１の前後の同軸上に、それぞれ逆巻きの各受信コイル１２，１３を配置してなる。同軸型検出ヘッド１は、各コイル１１，１２，１３の内側に連続する検査空間Ｓをなしている。同軸型検出ヘッド１は、発信器１０により検査空間Ｓ内において送信コイル１１の交番磁界により図中前後方向の磁束を発生させることにより、この磁束に交わる各受信コイル１２，１３にそれぞれ位相が逆の誘起電圧Ｖ１，Ｖ２を発生させる。各受信コイル１２，１３は、送信コイル１１に対して等しい距離に配置され、非検出状態では誘起電圧Ｖ１，Ｖ２の大きさが等しく差が０となる。
【００２０】
対向型検出ヘッド２は、同軸型検出ヘッド１の一側（上側）に送信コイル２１を配置し、この送信コイル２１に対向するように同軸型検出ヘッド１の他側（下側）に、それぞれ逆巻きの各受信コイル２２，２３を併設して配置してなる。対向型検出ヘッド２は、送信コイル２１と各受信コイル２２，２３との間に前記検査空間Ｓをなしている。対向型検出ヘッド２は、発信器２０により検査空間Ｓ内において送信コイル２１の交番磁界により図中上下方向の磁束を発生させることにより、この磁束に交わる各受信コイル２２，２３にそれぞれ位相が逆の誘起電圧Ｖ３，Ｖ４を発生させる。
各受信コイル２２，２３は、送信コイル２１に対して等しい距離に配置され、非検出状態では誘起電圧Ｖ３，Ｖ４の大きさが等しく差が０となる。この対向型検出ヘッド２は、検査空間Ｓにおいて、同軸型検出ヘッド１の磁束と直交する磁束を生じる。
【００２１】
上記各検出ヘッド１，２は、検査空間Ｓ内に搬送コンベア（不図示）などの搬送手段が貫通するように配置され、略ロ字型の筐体内部に収容される。筐体は、金属（例えばアルミ合金やステンレス鋼）などの磁気シールドの材質で形成されている。そして、搬送コンベアによって被検査体Ｗを搬送して検査空間Ｓ内を通過させる。
【００２２】
図２は、一方（同軸型検出ヘッド１）側の検出回路３１ａを示すブロック図である。他方の対向型検出ヘッド２も同様の検出回路３１ｂ（図１参照）を有する。
受信コイル１２，１３の出力は差動接続され、バッファ３０を介して検出回路３１ａに入力され、直交の同期検波が行われる。一対の検波部３２，３３では互いに直交する位相で検波がなされ、バンドパスフィルタ３４を介してそれぞれ磁化電流Ｊｍ、うず電流ｒｏｔＪが検出される。
図３は、被検査体Ｗと金属Ｍの磁化特性図であり、図において磁化電流ＪｍはＸ座標、ｒｏｔＪはＹ座標方向の値となり、これらにより被検査体Ｗ、及び金属Ｍの磁化特性が得られ、両者の差分に基づき金属Ｍを検出することができる。
【００２３】
上記構成の金属検出機では、同軸型検出ヘッド１において、金属等の金属Ｍが混入した被検査体Ｗが搬送手段によって図１中Ａ方向に進行して手前の受信コイル１２内に移動すると、受信コイル１２内の磁束密度が増し、逆に受信コイル１３内の磁束密度が減少する。このため、受信コイル１２の誘起電圧Ｖ１は、受信コイル１３の誘起電圧Ｖ２よりも大きくなる。次いで、進行した被検査体Ｗが受信コイル１３内まで移動すると、受信コイル１２内よりも受信コイル１３内の磁束密度の方が大きくなるため、誘起電圧Ｖ１より誘起電圧Ｖ２の方が大きくなる。このようにして、同軸型検出ヘッド１から出力される誘起電圧Ｖ１，Ｖ２同士の差の変化（磁界の揺らぎ）に基づいて、検査空間Ｓ内を通過した被検査体Ｗに金属Ｍが混入しているか否かを判定することができる。
【００２４】
また、対向型検出ヘッド２において、金属Ｍが混入した被検査体Ｗが搬送手段によって図１中Ａ方向に進行して送信コイル２１と手前の受信コイル２２との間に移動すると、送信コイル２１、受信コイル２２間の磁束密度が増し、逆に送信コイル２１、受信コイル２３間の磁束密度が減少する。このため、受信コイル２２の誘起電圧Ｖ３は、受信コイル２３の誘起電圧Ｖ４よりも大きくなる。次いで、進行した被検査体Ｗが送信コイル２１と受信コイル２３との間に移動すると、送信コイル２１、受信コイル２２間よりも、送信コイル２１、受信コイル２３間の磁束密度の方が大きくなるため、誘起電圧Ｖ３より誘起電圧Ｖ４の方が大きくなる。このようにして、同軸型検出ヘッド２から出力される誘起電圧Ｖ３，Ｖ４同士の差の変化（磁界の揺らぎ）に基づいて、検査空間Ｓ内を通過した被検査体Ｗに金属Ｍが混入しているか否かを判定することができる。
【００２５】
すなわち、本実施の形態の金属検出機では、被検査体Ｗに混入した金属Ｍが針形状や薄板形状で、且つ、Ｆｅ等の磁性体の場合、同軸型検出ヘッド１で生じる磁束に対して略直交する配置である時、対向型検出ヘッド２で生じる磁束に対して沿う配置となる。これにより、同軸型検出ヘッド１では磁束の変化が少なく誘起電圧Ｖ１，Ｖ２の差が小さいので金属Ｍの検出感度が落ちるが、対向型検出ヘッド２では磁束の変化が多く誘起電圧Ｖ３，Ｖ４の差が大きいので金属Ｍの検出感度が良好となる。
【００２６】
逆に、同じく針形状や薄板形状で、且つ、磁性体の金属Ｍが同軸型検出ヘッド１で生じる磁束に対して沿う配置である時、対向型検出ヘッド２で生じる磁束に対して略直交する配置となる。これにより、対向型検出ヘッド２では磁束の変化が少なく誘起電圧Ｖ３，Ｖ４の差が小さいので金属Ｍの検出感度が落ちるが、同軸型検出ヘッド１では磁束の変化が多く誘起電圧Ｖ１，Ｖ２の差が大きいので金属Ｍの検出感度が良好となる。
【００２７】
さらに、本実施の形態の金属検出機では、被検査体Ｗに混入した金属Ｍが針形状や薄板形状で、且つ、ステンレス（ＳＵＳ）等の非磁性体の場合、同軸型検出ヘッド１で生じる磁束に対して沿う配置である時、対向型検出ヘッド２で生じる磁束に対して略直交する配置となる。これにより、同軸型検出ヘッド１では磁束の変化が少なく誘起電圧Ｖ１，Ｖ２の差が小さいので金属Ｍの検出感度が落ちるが、対向型検出ヘッド２では磁束の変化が多く誘起電圧Ｖ３，Ｖ４の差が大きいので金属Ｍの検出感度が良好となる。
【００２８】
逆に、同じく針形状や薄板形状で、且つ、非磁性体の金属Ｍが同軸型検出ヘッド１で生じる磁束に対して略直交する配置である時、対向型検出ヘッド２で生じる磁束に対して沿う配置となる。これにより、対向型検出ヘッド２では磁束の変化が少なく誘起電圧Ｖ３，Ｖ４の差が小さいので金属Ｍの検出感度が落ちるが、同軸型検出ヘッド１では磁束の変化が多く誘起電圧Ｖ１，Ｖ２の差が大きいので金属Ｍの検出感度が良好となる。
【００２９】
このように、上述した金属検出機は、互いに磁束が直交する同軸型検出ヘッド１および対向型検出ヘッド２を共に用いることで、一方の検出ヘッドで検出し難い針形状等の形状、及び被検査体Ｗへの混入方向にある金属Ｍであっても、他方の検出ヘッドで検出し、被検査体Ｗに混入した金属Ｍをもれなく検出する。
この際、同軸型検出ヘッド１の送信コイル１１と受信コイル１２，１３、及び対向型検出ヘッド２の送信コイル２１と受信コイル２２，２３との間は常時、平行磁界であり、被検査体Ｗが搬送移動されても、被検査体Ｗを遮る磁界の向きが不変であり、Ｓ／ＮのＮ（ノイズ）成分を小さくでき、金属Ｍを安定して検出できる。
【００３０】
図４は、上記各検出ヘッドによる金属Ｍの検出原理を説明するための図である。（ａ）は同軸型、（ｂ）対向型の各検出ヘッドであり、金属Ｍは図中Ａ方向に搬送される。
（ａ）の同軸型検出ヘッド１においては、コイルの巻回方向に沿って金属Ｍの外周を磁化電流Ｊｍが流れ、端面（搬送方向前、後端）でうず電流ｒｏｔＪが流れる。この際、磁化電流Ｊｍが大きく、うず電流ｒｏｔＪが小さい。この場合、Ｆｅ等の磁性体に比してＳＵＳ等の非磁性体の方が検出感度が高くなる。
（ｂ）の対向型検出ヘッド２では、同一の金属Ｍに対して、コイルの巻回方向に沿って金属Ｍの外周を磁化電流Ｊｍが流れ、端面（上面、下面）でうず電流ｒｏｔＪが流れる。この際、磁化電流Ｊｍが小さく、うず電流ｒｏｔＪが大きい。この場合、ＳＵＳ等の非磁性体に比してＦｅ等の磁性体の方が検出感度が高くなる。
【００３１】
上記説明は、金属Ｍについてのみ説明したが、同様に被検査体Ｗについても同様に適用できる。例えば、ハム等の水分を含む被検査体Ｗは、異物と同様に所定の磁化特性を有する。
被検査体Ｗ内での金属Ｍの検出感度を向上させるためには、金属Ｍに磁化電流Ｊｍ、うず電流ｒｏｔＪが多く流れ、且つ、被検査体Ｗには磁化電流Ｊｍ、うず電流ｒｏｔＪができるだけ流れないことが必要である。
図３に示したように、ノイズ成分Ｎとなる被検査体Ｗの磁化特性に対し、検出成分Ｓとなる金属Ｍの磁化特性の差分ができるだけ大きく取ることにより金属Ｍの検出精度を向上できる。
【００３２】
上記原理は、検出ヘッドにおける送、受信コイルの駆動周波数が同一の例であるが、Ｆｅ等の磁性体と、ＳＵＳ等の非磁性体では、それぞれ最も受信レベルが高く検出可能な周波数が異なる。
図５は、材質別の周波数−受信レベル特性を示す図である。
磁性体のＦｅは、低周波数〜高周波数にかけてほぼ一定な受信レベルを有する。一方、非磁性体のＳＵＳは比較的高周波帯域で受信レベルが高くなる。被検査体Ｗの例としてハムは、ＳＵＳより高周波帯域で受信レベルが高くなる。
図示の例で説明すると、被検査体Ｗ内の金属Ｍ（ＳＵＳ）の検出は、高周波帯域での両者の受信レベルの差分に基づき行い、金属Ｍ（Ｆｅ）の検出は、比較的低周波帯域での両者の受信レベルの差分に基づき行う。
【００３３】
図６は、本発明の同軸−対向検出ヘッドの構成における周波数別の検出感度特性を示す図である。
図中高周波とは数百ｋＨｚ（範囲：数十ｋＨｚ〜数ＭＨｚ）であり、低周波とは数十ｋＨｚ（範囲：直流〜数百ｋＨｚ）である。
一般に高周波帯域においてはＳＵＳに対する検出感度が高く、低周波帯域においてはＦｅに対する感度感度が高い。
（ａ）に示す同軸型検出ヘッド１では、縦長方向のＳＵＳに対する検出感度が高く、横長方向のＦｅに対する検出感度が高い。
（ｂ）に示す対向型検出ヘッド２では、横長方向のＳＵＳに対する検出感度が高く、縦長方向のＦｅに対する検出感度が高い。
これらは、材質、及び上記磁界の発生方向別に、それぞれ金属Ｍに生じる磁化電流Ｊｍ、及びうず電流ｒｏｔＪの値に基づく特性である。
このように、同軸型検出ヘッド１と対向型検出ヘッド２を用いることにより、互いの検出感度を補完できる作用がある。
【００３４】
ところで、上記構成の同軸型検出ヘッド１、対向型検出ヘッド２は、単一の検査空間Ｓ内においてそれぞれ磁界の発生方向が異なるため、互いが同一周波数で同時に測定することはできない。
したがって、本実施の形態では、同軸型検出ヘッド１と対向型検出ヘッド２を同時に作動させつつ、互いの検出が干渉せず、また、金属Ｍの種別、混入方向に影響を受けずにこの金属Ｍを検出する構成とする。このため、同軸型検出ヘッド１と対向型検出ヘッド２では、同時に同一の周波数を発生させないで金属Ｍを検出する構成とする。以下、各構成例について説明する。
【００３５】
図７は、同軸、対向の各検出ヘッドの駆動周波数の関係を示すタイムチャートである。
（構成例１…２周波数時分割）
図７（ａ）に示す時分割制御は、同軸型検出ヘッド１を高周波駆動させる際、同時に対向型ヘッド２は低周波駆動させる。この後、同軸型検出ヘッド１を低周波駆動させる際、同時に対向型ヘッド２は高周波駆動させる。
【００３６】
（構成例２…２周波数切り換え）
図７（ｂ）に示す時分割制御は、同軸型検出ヘッド１側のみ高周波と低周波で駆動させる際、対向型ヘッド２を停止させる。この後、対向型検出ヘッド２のみ高周波と低周波で駆動させる際、同軸型ヘッド１を停止させる。
【００３７】
上記の如く、高周波と低周波の各周波数を駆動する場合、発信器１０、２０は、それぞれ送信コイル１１、２１に対し、これら各周波数を個別あるいは重畳して駆動する。駆動信号は、ＦＭ、ＡＭ変調、位相変調等により、ｓｉｎ波、矩形波等を出力する。
受信側では、図２に記載した検出回路３１ａには、受信コイル１２，１３の出力に対し高周波、低周波用の検波部をそれぞれ並列に設ければよい。
【００３８】
（構成例３…２周波数各独立）
図７（ｃ）に示す時分割制御は、同軸型検出ヘッド１の高周波、低周波の駆動後、対向型検出ヘッド２の高周波、低周波を各独立して駆動させる。
いずれの時分割制御においても、所定の周期で上記駆動切換を行うが、この周期は被検査体Ｗの搬送速度に比して十分に高速に実行できる。なお、送信コイル１１，２１に対する駆動信号の時分割制御は、図示しない制御手段が実行するようになっている。
【００３９】
（構成例４…全周波数同時）
上記は、いずれも時分割制御する構成であるが、本発明は時分割制御に限らない。例えば、同軸型検出ヘッド１の高周波、低周波の各周波数と、対向型検出ヘッド２の高周波、低周波の各周波数の値を全て異なる値とすれば、計４つの異なる周波数で全く同時に駆動させることができる。この場合、高周波、低周波いずれにおいても、例えば両者間で０．１ｋＨｚだけ周波数を相違させるだけで相互干渉が無く、実用化できる。
【００４０】
上記構成によれば、被検査体Ｗの搬送中に、同軸型検出ヘッド１、及び対向型検出ヘッド２いずれも駆動させることができ、各検出ヘッドはそれぞれ送信コイルと受信コイルとの間が平行磁界であり、被検査体Ｗが搬送移動しても被検査体Ｗを遮る磁界の向きが不変であるため、被検査体Ｗ内に混入された金属Ｍの方向に影響を受けずこの金属Ｍを高精度に検出できるようになる。
加えて、同軸型検出ヘッド１、及び対向型検出ヘッド２を、それぞれ高周波及び低周波で駆動させるため、金属Ｍの種類（Ｆｅ等の磁性体、ＳＵＳ等の非磁性体）、形状に影響を受けず、高精度の検出できるようになる。
【００４１】
上記実施形態では、同軸型と対向型の検出ヘッドに対し、それぞれ高周波と低周波の２つの周波数を用いて時分割制御、及び全周波数が異なる周波数制御を実行する構成について説明した。
これに限らず、検出しようとする金属Ｍ、及び被検査体Ｗの特性に応じて２つ以上、例えば３つの周波数を用い、これらを時分割制御、及び全ての周波数が異なる周波数制御を実行する構成とすることもできる。
【００４２】
【発明の効果】
以上説明したように本発明による金属検出機は、同軸型と対向型の２つの検出ヘッドを用い、これら検出ヘッドはいずれも被検査体の搬送時に被検査体を遮る磁界の向きが一定であるため、安定した金属検出が行える。
また、同軸型検出ヘッド及び対向型検出ヘッドに対して供給される高周波の駆動信号の周波数を相互干渉が無くなる程度の異なる周波数とし、かつ同軸型検出ヘッド及び対向型検出ヘッド対して供給される低周波の駆動信号の周波数も相互干渉が無くなる程度の異なる周波数とするとともに、同軸型と対向型の検出ヘッドそれぞれが異なる周波数による高周波と低周波で同時に駆動され、金属の材質と、混入方向、形状等の影響を受けずに高精度な金属検出が可能となる。
【図面の簡単な説明】
【図１】本発明の金属検出機の構成を示す概要図。
【図２】検出回路を示す回路図。
【図３】被検査体Ｗと金属Ｍの磁化特性図。
【図４】検出ヘッド別の金属材質の検出特性を説明するための図。
【図５】被検査体と金属の磁化特性を示す図。
【図６】検出ヘッド別の金属材質及び方向の検出特性を説明するための図。
【図７】検出ヘッドに対する周波数の時分割制御を示すタイミングチャート。
【図８】従来の検出ヘッドを示す斜視図。
【図９】従来の他の検出ヘッドを示す概略図。
【図１０】従来の他の検出ヘッドを示す概略図。
【符号の説明】
１…同軸型検出ヘッド、２…対向型検出ヘッド、１１，２１…送信コイル、１２，１３，２２，２３…受信コイル、３１ａ，３１ｂ…検出回路、Ｗ…被検査体、Ｍ…金属。
【図１】
0004008234.tif 000002
【図２】
0004008234.tif 000003
【図３】
0004008234.tif 000004
【図４】
0004008234.tif 000005
【図５】
0004008234.tif 000006
【図６】
0004008234.tif 000007
【図７】
0004008234.tif 000008
【図８】
0004008234.tif 000009
【図９】
0004008234.tif 000010
【図１０】
0004008234.tif 000011